(57)【要約】  テントペグを地面に打ち込んだり、地面から引き抜いたりするキャンピング道具（１）であって、（ａ）非円形断面の内部通路（２２）で構成される本体部分（２０）と、（ｂ）本体（２０）に対して大体直角に向けられ、かつ本体（２０）のハンマー端に設置されたハンマー部材（１０）と、（ｃ）本体（２０）に固定された受け座材（２５）と、を含む。受け座材（２５）の衝撃面が、ハンマー端から離れた本体（２０）の衝撃端で、またはその近くで内部通路（２２）内に設置される。道具（１）は、通路（２２）内で軸方向に回転することができず、かつ受け座材（２５）をエネルギー損失が小さい衝突で衝撃を受けるように作用する引き込み部（２１ａ）を含むペグ係合部材（３０）を任意に含む。これによって、引き込み部（２１ａ）に操作的に結合されたペグ係合手段（３０）を位置決めし、ハンマー部材（１０）を握り、引っ張りあげて、引き込み部（２１ａ）を受け座材（２５）に激突させることによって、ペグを取り除いてもよい。【選択図】図２
2007504009.tif 000002
【特許請求の範囲】
【請求項１】
下地のペグを操作する道具であって、前記道具は、
（ａ）非円形断面の内部空洞を構成する本体と、
（ｂ）前記本体に対して実質的に直角に向けられ、かつ前記本体のハンマー端に取付けられるハンマー部材と、
（ｃ）受け座材と、を含み、
前記受け座材の衝撃面は、前記ハンマー端から離れた前記本体の受け座端で、またはその近くで前記内部空洞内に設置される道具。
【請求項２】
空洞には、引き込み部、細長い部材、およびペグ係合手段を含むペグ係合部材を受け入れることができ、
Ａ．前記引き込み部は、
ｉ．特殊な断面であり、そのために前記引き込み部は前記空洞で軸方向に回転することができず、
ｉｉ．前記空洞で往復移動が可能であり、
ｉｉｉ．低いエネルギー損失において、前記受け座材に衝撃を与えることができ、
Ｂ．前記引き込み部は、前記本体から前記受け座材の開口まで延びることができる前記細長い部材に取り付けられ、前記細長い部材は、前記ペグ係合手段によって自由端で成端する請求項１に記載の道具。
【請求項３】
下地のペグを操作する道具であって、前記道具は、
（ａ）
（ｉ）内部空間から構成される本体と、
（ｉｉ）受け座材の衝撃面が前記内部空間に設置される受け座材とを含むハンドルと、
（ｂ）
（ｉ）係合端におけるペグ係合手段と、
（ｉｉ）前記空間に納められ、前記空間内で往復移動が可能であり、そして前記衝撃面に衝撃を与えることができる引き込み部と、
（ｉｉｉ）前記ペグ係合手段から前記引き込み部へ延びる細長い部材と、を含み、
前記受け座材は、前記ペグ係合手段に最も近い前記本体の端部に、または近くに設置され、延びることができる前記細長い部材への開口を含むペグ係合部材を含む道具。
【請求項４】
下地のペグを操作する道具であって、前記道具は、
（ａ）受け座材と、内部空間を構成する本体と、を含むハンドルと、
（ｂ）（ｉ）係合端におけるペグ係合手段と、
（ｉｉ）前記空間に閉じ込められ、一端に前記受け座材が構成された前記内部空間で往復運動が可能である引き込み部と、
（ｉｉｉ）前記ペグ係合手段から前記引き込み部へ延びる細長い部材と、
を含むペグ係合部材と、を含み、
全質量の少なくとも６０％を前記ハンドルが占める道具。
【請求項５】
前記ハンドルは、前記道具の上端にハンマー頭部をさらに含む、請求項３または４に記載の道具。
【請求項６】
前記引き込み部は、前記本体から取り外しできる、請求項１〜５のいずれかに記載の道具。
【請求項７】
前記本体は、前記引き込み部を解放するように選択的に作動する蓋を含む、請求項１〜６のいずれかに記載の道具。
【請求項８】
前記蓋は、前記本体の側壁に設置される、請求項７に記載の道具。
【請求項９】
前記蓋は、前記ハンドルに蝶着される、請求項７または８に記載の道具。
【請求項１０】
請求項５または６に従属する場合に、前記ペグ係合部材の除去によって槌として作動するように適しており、前記本体は、前記ハンマー頭部をペグに当てて、該ペグを前記下地に打ち込むハンドルとしての機能を果たすのに適する、請求項７〜９のいずれかに記載の道具。
【請求項１１】
前記ハンマー頭部は、前記本体に大体直角に向けられる、請求項５〜１０のいずれかに記載の道具。
【請求項１２】
前記ハンマー頭部は、ブリッジ手段によって前記本体から間隔を置いて配置される、請求項５〜１１のいずれかに記載の道具。
【請求項１３】
前記ブリッジ手段によって設けられる前記ハンマー頭部と前記本体の間隔は、使用者が前記本体から大体の線上で引っ張り動作を行うために、前記ハンマー頭部を握ることを可能にし、前記ハンマー頭部を前記ペグから離れるように引っ張ることによって衝撃荷重をペグに加え、前記引き込み部が前記受け座材の最下部に衝撃を与える、請求項１２に記載の道具。
【請求項１４】
前記ペグ係合手段は、ペグ頭部をフックの湾曲部に保持するフックおよびペグ頭部保持手段を含む、請求項２〜１３のいずれかに記載の道具。
【請求項１５】
前記保持手段は、前記ペグ頭部を前記湾曲部に受け入れるために変形して作動する弾性的に変形可能な手段を含む、請求項１４に記載の道具。
【請求項１６】
前記細長い部材は、断面がほぼ一定であるシャフトであり、前記引き込み部が前記シャフトの断面領域外へ延びる側面部を含む、請求項２〜１５のいずれかに記載の道具。
【請求項１７】
前記内部空間は、前記引き込み部の断面形状を補完するか、または一致する非円形の断面形状を有する孔である、請求項１〜１６のいずれかに記載の道具。
【請求項１８】
ハンドルを含む道具を作成する方法であって、前記道具は、
（ａ）孔の中に設置された衝撃面をそれぞれ有し、一対の間隔を置いて配置された受け座材を含む前記孔を構成する本体と、
（ｂ）前記本体の上端で前記本体に大体直角に向けられたハンマー頭部と、を有し、
前記方法は、
（１）前記ハンマー頭部および本体を金属から形成し、溶接または鋳造して結合する工程と、
（２）前記本体を覆う外部成形プラスチックカバーを射出成形する工程と、
を含む方法。
【請求項１９】
ペグを引き抜く道具を用いて地中に埋め込まれたペグを引き抜く方法であって、前記道具は、
（ａ）ペグ係合部材と、
（ｂ）前記ペグ係合部材に作動できるように接続された本体を有するハンマー部と、を含み、
前記ペグ係合部材は、本体に滑動できるように納められた引き込み部を含み、
前記ハンマー部は、道具の全質量の少なくとも６０％であり、前記方法は、
（１）ペグを前記ペグ係合手段と係合する工程と、
（２）前記ハンマー部をペグの方へ動かす工程と、
（３）前記ハンマー部をペグから離すように素早く引っ張ることによって、前記引き込み部は本体の端部に衝撃を与え、その衝撃荷重が該ペグに伝わり、該ペグを部分的または完全に引き抜く工程と、を含む方法。
【発明の詳細な説明】
【技術分野】
【０００１】
本発明は、地表などの下地のペグを操作する道具に関する。より詳しくは、本発明はペグを引き抜く道具に関する。
【背景技術】
【０００２】
従来の提案または製品に関する以下の参照および記述は、オーストラリア国における当技術の一般知識の記述または容認として意図されず、解釈されるべきではない。
【０００３】
通常、従来のペグを引き抜く道具は、梃子の原理によるため、特に硬い地面では使用しにくく、相当な努力をしないとペグを引き抜くのに役に立たない場合がある。従って、地表のペグを束縛する摩擦力を分散する装置において、従来のハンマー打撃（衝撃荷重）法が用いられている。
【発明の開示】
【発明が解決しようとする課題】
【０００４】
米国特許第４，４５４，７９２号明細書（Ｂｕｒｒｉｓ）に、スライディングハンマーの原理を用いるロッド杭を引き抜く道具が開示される。ロッド杭を引き抜く道具は、直立ロッド２、およびハンドル１０付きの滑りロッド３を有する歪曲足１を含む手持工具である。直立ロッドと滑りロッドは互いに隣接して係合し、それによって平行な非同軸の軸に沿って互いに対して滑動する。直立ロッドと滑りロッドは同軸ではないため、直立ロッド２および滑りロッド３の縦軸を中心とした回転力が使用中に発生する（列２、３０〜３３行参照）。さらに、滑りロッド２は、そのロッド杭を引き抜く道具の全質量の半分未満で軽量である場合、スライディングハンマーの原理を適用しても効果がない。Ｂｕｒｒｉｓは、スライディングハンマーの原理を必要とする道具を使用する際の、特に手、指、または肌に対する身体傷害の可能性を述べている。Ｂｕｒｒｉｓは、可動部の質量を減らし、片手操作を可能にすることによって、この危険性を取り除くことを主張する。適切に用いれば、Ｂｕｒｒｉｓの道具は、傷害を引き起こさないかもしれない。しかしながら、この道具の衝撃作用を生じる２つの面の接触は、道具本体の外側で起きると、操作者の手／体に触れ易くなる。
【０００５】
米国特許第４，２６１，４２４号明細書（Ｇｏｎｔｅｒｍａｎら）に、特殊設計のペグ頭部（図４参照）に適したペグ打ち込みおよび引き抜き器が記載されている。Ｇｏｎｔｅｒｍａｎの道具は、管状部材１１に同軸に取り付けた往復部材１６を含む。往復部材１６が操作者に握られ、道具１０を特殊設計のペグに係合させるスライディングハンマーとして使用される。運動量、最終的には衝撃荷重は、道具の全質量に対する往復部材１６の比較的小さい質量によって特に制限される。また、Ｇｏｎｔｅｒｍａｎの道具の使用は、スライディングハンマーの原理を使用するペグ打ち込み方法によって制限される。道具自体は作動させるのに両手を必要とするので、第１段階の作動プロセス中にテントペグをしっかりと保持するのに、二人目を多分必要とするだろう。さらに、管状部材１６が衝突する受け座１９を露出させることによって、使用者は、指を部材１１と受け座１９の間に挟む可能性がある。
【０００６】
上述の先行技術の欠点を克服するか、有用な代案を少なくとも提供する道具が必要である。
【課題を解決するための手段】
【０００７】
従って、１つの態様において、下地のペグを操作する道具が提供される。前記道具は、
（ａ）非円形断面の内部空洞を構成する本体と、
（ｂ）前記本体に対して実質的に直角に向けられ、かつ前記本体のハンマー端に取付けられるハンマー部材と、
（ｃ）受け座材と、を含み、
前記受け座材の衝撃面は、前記ハンマー端から離れた前記本体の受け座端で、またはその近くで前記内部空洞内に設置される。
【０００８】
空洞には、引き込み部、細長い部材、およびペグ係合手段を含むペグ係合部材を受けることができ、
Ａ．前記引き込み部は、
ｉ．特殊な断面であり、そのために前記引き込み部は前記空洞で軸方向に回転することができず、
ｉｉ．前記空洞で往復移動が可能であり、
ｉｉｉ．低いエネルギー損失において、前記受け座材に衝撃を与えることができ、
Ｂ．前記引き込み部は、前記本体から前記受け座材の開口まで延びることができる前記細長い部材に取り付けられ、前記細長い部材は、前記ペグ係合手段によって自由端で成端する。
【０００９】
別の態様において、本発明は、下地のペグを操作する道具を提供する。前記道具は、
（ａ）（ｉ）内部空間から構成される本体と、（ｉｉ）受け座材の衝撃面が前記内部空間に設置される該受け座材と、を含むハンドルと、
（ｂ）（ｉ）係合端におけるペグ係合手段と、（ｉｉ）前記空間に納められ、前記空間内で往復移動が可能であり、そして前記衝撃面に衝撃を与えることができる引き込み部と、（ｉｉｉ）前記ペグ係合手段から前記引き込み部へ延びる細長い部材と、を含む。前記受け座材は、前記ペグ係合手段に最も近い前記本体の端部に、または近くに設置され、延びることができる前記細長い部材への開口を含むペグ係合部材を含む。
【００１０】
好ましい形態において、ペグを引き抜く道具は、それはまた打ち込む道具または槌としても使用することができるという二重機能を有する。従って、本発明の別の態様では、ペグを打ち込むおよび引き抜く道具が提供され、道具は、
（ａ）（ｉ）前記道具の係合端におけるペグ係合手段と、（ｉｉ）引き込み部と、（ｉｉｉ）該ペグ係合手段から引き込み部へ延びる細長い部材とを含むペグ係合部材と、
（ｂ）（ｉ）引き込み部を納め、かつ引き込み部が往復移動できる空間を有する本体と、（ｉｉ）道具の係合端と反対の上端にあるハンマー頭部と、（ｉｉｉ）引き込み部を本体内に保持する本体の下端にある受け座材と、を含むハンドル部材と、を含む。前記道具は、本体を持ち、ペグを打つハンマーとして、また、ペグ係合手段でペグを係合してハンマー頭部を持ち、引き込み部が受け座材に衝撃を与えるようにハンマーをペグから離すように引っ張って衝撃荷重をペグに加える引き抜き道具として、使用するのに適している。
【００１１】
ペグは、ロープ、ガイドロープ、ワイヤー、テンションワイヤーなどの品目を地面に繋止するのに適する、標準ペグの種類のうちのいずれであってもよい。好ましくは、道具の使用に適したいペグは、ペグ係合手段が確実な係合の達成を支援するように凸凹を含んでよい。しかしながら、ペグ係合手段はペグを摩擦係合させる締付け手段を含んでもよく、この場合、ペグは確実に係合する表面または係合機能を有しない。ペグは、現在使われているほとんどのテントペグに共通であり、地面に設置するか、または地面の上に見える簡単に曲がるロッドフックを含んでもよい。
【００１２】
ペグ係合部材は、対応するフックをペグに係合するのに適した簡単なフックの構成を含むことが好ましい。また、ペグ係合手段は、使用中にペグとの係合から飛び出さないことを確実にする保持手段を係合手段に含んでもよい。例えば、保持手段は、ペグ係合手段に溶接されるか、または別の方法で固定される簡単なバネクリップを含んでもよい。ペグ係合手段は、入隅または小穴を有するフックを含んでよく、それによってペグは保持手段の動作によって入隅内での保持が可能である。保持手段は、ペグを受けたり、解放したりするために変形するが、ペグ係合手段との係合において、元の形状に戻してペグを保持する弾性手段を含んでもよい。例えば、保持手段は、摩擦係合したペグの頭部を受けるのに適した溝を構成する弾性成形プラスチックまたはゴム部材を含んでもよい。
【００１３】
シャフトやロッドの形をした細長い部材を設けることによって、ペグ係合部材および細長い部材をハンドル部材より軽くなるように構成してもよい。シャフトは、アルミニウムまたは鉄のような、頑丈で比較的軽い材料から作製される細いロッドであってもよい。硬い金属製シャフトは十分強固であり（引張強度およびねじれ強度に関して）、長期の使用において、金属疲労に耐え得るはずであることが認識されよう。さらに、中空管が十分に強固であれば、本発明のほとんどの用途に適するはずである。
【００１４】
引き込み部は、本体内に納められ、往復移動が可能であってもよい。引き込み部は、ペグ係合手段の反対側のシャフトの終端にあってもよい。シャフトは、全長に亘って一定の断面であることが好ましく、引き込み部は、シャフトの断面領域の外へ延びる少なくとも１つの側面部を含む。側面部は、シャフトの断面領域よりもかなり大きい頭部から成ってもよい。引き込み部は、シャフトの引き込み部に取り付けたワッシャー、シリンダ、またはカラーであることが好ましい。しかしながら、引き込み部は、シャフトの長さの中間に位置することが効果的に動作することが認識されよう。シャフトは、１つはシャフトの長さの中間に、もう１つはその自由端または終端に位置する１組のカラーを含んでもよい。引き込み部は、シャフトの終端に溶接された金属製カラー、あるいはシャフトの終端部にねじ付けするボルトまたはナットであってもよい。引き込み部は断面が非円形であることが好ましい。内部空間は、引き込み部の断面に一致するか、または補完する断面形状であることが好ましい。従って、細長い部材の縦軸を中心として、引き込み部が軸回転できないようにすることが好ましい。これは、ペグが堅く埋め込まれている場合、使用者が地面から外へペグを梃子で動かす道具の操作するのを支援する。
【００１５】
シャフトは、不定形（パズルピースのような）、円形、楕円形、正方形、長方形、菱形、星形（３つ以上の点）、多角形（例えば六角形または八角形）などの、多くの様々な断面のうちのいずれかを含んでもよい。しかしながら、容易に製造できるように、シャフトは単純な円形断面を有することが好ましい。
【００１６】
空間内の引き込み部が十分自由な移動にできる限り、引き込み部が移動する本体を構成する空間は、一定の断面であってもよいが必ずしもその必要性はない。従って、本体は開いた状態で、引き込み部を本体内に保持する溝や仕切りを効果的に備える、少なくとも３つの縦に延びる面接触機能を含んでもよい。破片、砂などの本体への浸入が不可避であるので、このような開く構造は有用であり、掃除のために本体の内部空間に容易にアクセスできることが望ましい。しかしながら、アクセス（例えば、ディジタルアクセス）が本体内にある機械に対して行われる場合、道具の使用中に起こり得る身体傷害を防ぐため、本体は全体的に密閉されることが好ましい。さらに、引き込み部によって空気が圧縮されるとき、空間の空気を抜いて減衰効果を防止できることが好ましい。従って、本体は、各端部に隣接する１つ以上の通気孔を有することが好ましい。
【００１７】
本体は、細長い部材に滑動して往復移動させ、砂などの浸入に対する効果的な封止を備える開口を含んでもよい。開口は、シャフトの断面形状と一致する孔を構成することが好ましく、低摩擦面を有してもよい。開口は本体の端部に固定されるか、または成型される、プラグ、エンドキャップ、または固定カラーの形状の開口部材で構成されてもよい。開口部材は、ＴｅｆｌｏｎＴＭ（ポリテトラフルオロエチレン）製であってもよい。本体の衝撃端は衝撃面を含むことが好ましい。衝撃面は、最大衝撃荷重がペグに移されることを確実にするため、可能な限り最小量の衝撃エネルギーを吸収するのに適した、金属または硬いプラスチックから作製された硬い面を含んでもよい。本体の係合端は、大きな弾性衝突で引き込み部をに衝撃を与えるのに適した、プレートのような金属受け座材を含んでもよい。
【００１８】
ペグ係合部材を使用しない場合、本体内に部分的に、または完全にペグ係合部材を保管する。ペグ係合部材を本体の保管位置に保持するためにペグ係合手段に取り付けられる、単純な型締め、クリップまたは止め具によって、係合部材は本体内に保持されてもよい。ペグ係合部材は、軽いバネの動作によって本体の保管位置に引き込まれてもよい。軽いバネは、ペグ係合部材を保管位置に戻すのに適しているが、引き込み部と受け座材の間の直衝突に対してほとんど影響を与えないくらい弱くてもよい。
【００１９】
あるいは、ペグ係合部材は本体から取り除かれてもよい。これは、ペグ係合部材が邪魔にならない（例えば、ペグ係合部材が本体よりもかなり長い場合）ように、槌としてハンドル部材を使用するのに好適である。また、ペグ係合部材は、強い衝撃、ねじり力、および他の力（圧縮、曲げ）にさらされ、簡単な修理や交換のために取り外しできることが望ましい。取り外しできるパネルまたは蓋を本体に設けることによって、ペグ係合部材を本体から取り外してもよい。本体に滑動できるように、または蝶番式接着によって、蓋を取り付けてもよい。蓋は本体の側壁部を形成することが好ましい。蓋が受け座材の片側を形成することによって、開口は部分的に蓋で構成される。
【００２０】
ハンドル部材は、一体的な形成部材として成型または鋳造するか、あるいは溶接、螺合、または別の方法で固定して、別々に形成した部品で構成されてもよい。ハンドルは、プラスチックカバーが射出成形される金属成型フレームまたは金属鋳造フレームを含んでもよい。本発明の別の態様によって、ハンドルを含む道具を作る方法が提供される。前記ハンドルは、（ａ）空間内に設置された各衝撃面を有する、一対の間隔を置いて配置された受け座材を含む空間で構成される本体と、（ｂ）前記本体の上端で実質的に直角に取り付けられたハンマー頭部とを含む。前記方法の工程は、（１）前記ハンマー頭部および本体を金属から形成し、これらを一緒に溶接または鋳造する工程と、（２）外側の成型プラスチックカバーを前記本体に射出成形する工程とを含む。
【００２１】
ハンドル部材は、道具のペグ係合端に反対側の上端にハンドルを含んでもよい。ハンドルは、様々な手の大きさおよび形、右手および左手で握るのに適した任意のデザインを含むことがあり、本体の縦軸に対して同軸、横向きに、または直角に取り付けられてもよい。ハンドルは、本体の縦軸に対して横方向または直角に取り付けられることが好ましい。ハンドルは、使用者が握るハンドルを快適に改良するために、指形の成形品または鋳物を含んでもよい。ハンドルは固定の非弾性ブラケットによって本体に取り付けられることがある。ブラケットを本体に堅く溶接するか、例えばネジ、ボルト、またはスタッドで締めて固定し、ブラケットやハンドルを本体に取り付ける他の手段によって、エネルギー損失を最小限にすることが好ましい。あるいは、ハンドル／ハンマーで打撃中のハンドルと本体の間のエネルギー損失を最小限にするため、ハンドルを本体に介して、または直接取り付けてもよい。
【００２２】
重いゴムまたは金属、好ましくは鉄などの硬く重い質量の材料からハンドルを作製することが好ましく、これにより、ハンドルを槌として使用してもよい。従って、使用者がペグを打ち込むのに本体を握ってハンドルを槌として使用するために、ペグ係合部材は、取り外し可能であるか、あるいは本体内に部分的または完全に引っ込められ、所定の位置に確保されてもよい。従って、この好ましい構成は、従来の槌またはハンマーとスライディングハンマー原理を用いたペグ引き抜き機能の二重機能を提供する。
【００２３】
本発明の別の態様では、ペグを引き抜く道具を用いて地中に埋め込まれたペグを引き抜く方法が提案される。この道具は、
（ａ）ペグ係合部材と、（ｂ）前記ペグ係合部材に接続された本体を有するハンマー部とを含む。ペグ係合部材は、本体に滑動できるように納められた引き込み部を含み、前記ハンマー部は道具の全質量の少なくとも６０％である。この方法は、（１）ペグをペグ係合手段と係合する工程と、（２）ハンマー部をペグの方へ動かす工程と、（３）ハンマー部をペグから離すように素早く引っ張ることによって、引き込み部は本体の端部に衝撃を与え、その衝撃荷重がペグに伝わり、ペグを部分的または完全に引き抜く工程とを含む。
【００２４】
ハンドル部材またはハンマー部は、場合によっては、道具の質量の大部分を構成する。ハンドル部材またはハンマー部は、道具の全質量の少なくとも７０％で構成されることが好ましい。ハンドル部材またはハンマー部は、道具の全質量の少なくとも８０％で構成されることがさらに好ましい。特に好ましい形態では、ハンドル部材またはハンマー部は道具の全質量の少なくとも９０％で構成される。
【００２５】
本発明は、以下の１つ以上の好ましい実施形態の限定されない記述によって、より理解されよう。
【発明を実施するための最良の形態】
【００２６】
図１および３を参照すると、ハンマー頭部／ハンドル１０、本体／ハンドル２０、および操作ロッド３０を含む、ペグを打ち込むおよび引き抜く道具１が示される。同じ要素を同じ参照数字を用いて参照する。
【００２７】
槌またはハンマーとしての使用に適するというのであれば、種々の材料からハンマー頭部１０を作製してもよい。例えば、ハンマー頭部１０を、ゴム槌でよく用いられるような、硬いゴムまたはプラスチックから作製してもよいが、鉄のような金属から作製することが好ましい。道具１の質量のかなりの割合をハンマー頭部１０が占める。ハンマー頭部１０は０．５〜２．５ｋｇであってよく、約１．５ｋｇが好ましい。
【００２８】
ハンマー頭部１０は、ブラケット１１によってハンドル２０に取り付けられる。ブランケット１１は、ハンドル２０の上端に直角に取り付けられる基部１２と、ハンマー頭部１０用の取り付け手段を設けるために、基部１２に直角に延び、かつハンドル２０の縦軸に平行である一対の直立したアーム１３と、を含む。アーム１３はハンマー頭部１０を伸ばす孔部（図示せず）を含む。基部１２は、ハンドル２０の上端に溶接されることが好ましい。ブラケット１１を一塊鋳造によって一体的に形成するか、基部１２およびアーム１３を溶接してもよい。同様に、ハンマー頭部１０をアーム１３に溶接または鑞付けしてもよい。別の構成では、ハンマー頭部１０、ブラケット１１、およびハンドル２０は成型プラスチックから全て一体的に形成される。プラスチックは、特に重く、硬く、そして頑丈な性質を有する。かかる実施形態におけるプラスチックは、前述の好ましい特性を得るために適した添加物を含むポリプロピレンであることが好ましい。
【００２９】
ハンドル／本体２０は細長いシリンダであり、金属から作製されることが好ましく、鉄から作製することがさらに好ましく、鍛鋼から作製されることが最も好ましい。ハンドル２０の上端には、溶接された端板を含んでもよい。ハンドル２０のシリンダの壁のエンドキャップまたは終端に、基部１２を、場合によって、ボルトで固定するか、または溶接してもよい。
【００３０】
操作ロッド３０は、フック３１のようなペグ係合手段を含む。フック３１は、操作ロッド３０を曲げることによって簡単に形成してもよい。フック３１は、強固さが最大となるように鍛造され、成形されることが好ましいであろう。また、フック３１は、地中に埋め込まれる可能性があるテントペグと容易に係合するように成形されることが好ましいであろう。このような理由から、フック３１の端部は、先端に向かって除々に細くなっていてもよい。フック３１は、操作ロッド３０に対して一端において固定した保持手段３２を含んでもよい。自由端３４を弾性的に曲げることによって、フック３１と保持手段３２を含む空間３５内にテントペグを受けたり、解放したりする。
【００３１】
別の実施形態では、操作ロッド３０は高い張力のフレキシブルケーブル（図示せず）の形状である。しかしながら、堅い操作ロッド３０が好ましく、道具１のシステム部における引張りは、道具１によって加えられる最大衝撃負荷を減らす。
【００３２】
図２において、本体／ハンドル２０および操作ロッド３０の内部の詳細、ならびにこの特定の実施形態の他の構成要素を明確に示す。操作ロッド３０の上端は、本体２０に構成される内部空間２２内で滑動するのに適した引き込み部２１ａを含む。引き込み部２１ａは、金属製の摺動カラー２１ａの形状であってもよく、操作ロッド３０の端部に接着されるか、あるいは溶接されてもよい。摺動カラー２１ａは薄い管状構造であり、その直径は本体２０の内径にほとんど一致するので、摺動カラー２１ａが本体２０内で低摩擦移動することができるほか、本体２０に対する摺動カラー２１ａの大きな横運動を防ぐように十分頑丈に取り付けられる。本体２０の下端２３は、操作ロッド３０のシャフト３６が往復移動して通る開口を含む。開口は、下端２３に溶接、または螺合される固定カラー２４ａによって構成される。固定カラー２４ａを，ＴｅｆｌｏｎＴＭ（ＰＴＦＥ）などのような低摩擦係数を有する材料、好ましくは金属から作製してもよい。固定カラー２４ａは鍛鋼のような硬化金属から作製されることがより好ましい。固定カラー２４ａは、摺動カラー２１ａの下部面２６ａで衝撃エネルギーをほとんど吸収しないように適した受け座として機能を果たす、硬化した金属キャップ２５を任意的に含む。従って、道具１が、ペグ（キャンプ活動で用いるテントペグのような）を地中に打ち込むため、またペグを地面から取り除くために、従来のハンマー衝撃（衝撃荷重）の原理を適用することが分かる。道具は、堅固な、および／または高粘度の粘土質の地面からテントペグを取り除くのが困難なことを度々経験するキャラバンおよびテントキャンパーを含む、多くの人達にとって大きな価値があることが分かるであろう。道具は傷害リスクを少なくするのに役立つであろう。
【００３３】
道具はペグを地中に打ち込むために使用してもよい。道具は、ペグの上端を打ち、ペグを地中に正常に打ち込むために、従来の槌（またはハンマー）として使用される。このため、フック部分３１は、プラスチック成形品、ストラップ、ループ、保持クリップなど（図示せず）によって下端２３と一緒に解放することができるように保持される。従って、道具１の外見は従来のハンマーに類似しており、その様に道具１を使用してもよい。しかしながら、道具１のスライディングハンマー構成によってペグを地面から容易に取り除くためにも、道具を使用することができる。操作ロッドの最上端にある摺動カラー２１ａは、固定カラー２４ａによって管状本体２０内に取り外せないように固定される。
【００３４】
図３および４を具体的に参照すると、本体２０は操作ロッド３０を部分的に取り囲み、操作ロッド３０を道具１の一部として固定し、本体２０の共通軸に沿って往復移動させる操作ロッド３０を備える。固定カラー２４は本体２０内に配置されて、本体２０に対する操作ロッド３０の下方への運動を制限する。
【００３５】
図３に示す実施形態では、ハンマー頭部１０は強固さを確保するように、鍛鋼から作製される。ハンマー頭部１０の衝撃面は熱硬化処理される。
【００３６】
固定カラー２４は、本体２０の一部として形成されるか、溶接または蝋付けによって本体２０に頑丈に堅く固定され、および／あるいはネジまたはピンによって固定される。操作ロッド３０は最小の摩擦抵抗で固定カラー２４を上下に移動することができる。固定カラー２４は、ＴｅｆｌｏｎＴＭ（ＰＴＦＥ）などのような、低摩擦抵抗を有する材料から、好ましくは金属から作製されてもよい。固定カラー２４は鍛鋼のような硬化金属から作製されることがより好ましい。固定カラー２４は、摺動カラー３７の下部面３６による衝撃時エネルギーをほとんど吸収しないように適した受け座として動作する、硬化金属キャップ２５をその上面に任意的に含む。固定カラー２４は、操作ロッド３０の固定カラー２４を移動する運動に対して低摩擦抵抗を与えるブシュ（図示せず）で取り付けられてもよい。
【００３７】
下部固定カラー２１は、下部固定カラーはより軽い構造であり、かつ固定カラー２４よりも短い場合があるということを除いて、ほとんどの点で固定カラー２４に類似する。バネ構成ではない実施形態では、固定カラー２４のサイズおよびスタイルの固定カラーが存在してもよい。下部固定カラー２１は、図４に示される位置に取り付けられてもよい。
【００３８】
バネ構成の実施形態の場合は、本体２０のスロット２７によって、バネ圧縮レバー３８を下方に動かすことができる。スロット２７はレバー３８に対して十分な隙間を与え、レバー３８、つまり、操作ロッド３０の上下運動を制限させない。
【００３９】
操作ロッド３０の上部は、本体２０に構成する内部空間２２内を滑動するのに適した引き込み部３７を含む。引き込み部３７は、金属製の摺動カラー３７の形状であってよく、操作ロッド３０の一部として形成されるか、操作ロッド３０の端部に螺合されるか、ピンまたはリベットで留めるか、溶接されるか、あるいは蝋付けされてもよい。摺動カラー３７は薄いシリンダ形状であり、その直径を本体２０の内径にほぼ一致させることによって、本体２０内で摺動カラー３７が低摩擦移動できるようにする他、本体２０に対して摺動カラー３７が大きな横運動するのを阻止するために十分頑丈に取り付けられる。
【００４０】
また、バネ圧縮レバー３８は、操作ロッド３０の一部であるか、または摺動カラー３７を操作ロッド３０に取り付ける手段と類似の手段によって操作ロッド３０に取り付けられる。図４は摺動カラー３７を介したバネ圧縮レバー３８の操作ロッド３０との接続を示すが、バネ圧縮レバー３８を下方へ動かすと、操作ロッド３０が下方へ動く。バネ４０を圧縮することができるのであれば、操作ロッド３０との接続は、操作ロッド３０の長さの任意の位置において可能である。例示される実施形態では、バネ圧縮レバー３８は、本体２０の壁の一部の適切に取り除くことによって、本体２０に形成したスロット２７内を容易に滑動することができる。
【００４１】
また、バネ止め３９は、操作ロッド３０の一部であるか、または摺動カラー３７およびバネ圧縮レバー３８を操作ロッド３０に取り付ける手段と類似の手段によって操作ロッド３０に取り付けられる。バネ止め３９は摺動カラー３７と大体類似のシリンダ形状であるが、バネ止め３９は摺動カラー３７よりも軽い構造で、長さが短くてもよい。
【００４２】
道具１は本体２０内にバネ構成を含んでいてもよく、含まなくてもよい。バネ構成は道具１の機能に必須ではない。バネ構成の主な目的は、道具１がペグを引き抜く道具として使用されていない間、操作ロッド３０を本体２０内に必ず納めることである。バネ構成は引張バネ構成または圧縮バネ構成を含んでもよい。
【００４３】
ペグ引き抜き作用中にバネによって道具１の衝撃効果が著しく低下しないように、道具１において、この目的のために用いるバネは極めて軽快な動作特性を有する必要がある。バネの独自の作用によって本体２０内の位置に操作ロッド３０を戻すように、バネは本体２０と操作ロッド３０の間に起きる滑り摩擦抵抗に耐える硬さである必要がある。
【００４４】
ペグを引き抜く道具として道具１を使用する前に、いかなるバネ構成は、操作ロッド３０の大部分を本体２０の底部から露出する手段を必要としても、または必要としなくてもよい。バネ圧縮レバー３８は、図４に示す実施形態において、この機能のために使用される。あるいは、管状本体２０の上部の孔（図示せず）から管状本体２０の上に突き出した操作ロッド３０の上部延長部（図示せず）に直接押し付けることによって、操作ロッド３０を本体２０に対して下に動かすことができるように、道具は構成され得る。さらに、操作ロッド３０を本体２０に対して下に動かすためにフレキシブルコントロールケーブルの構成（図示せず）を含み得る。
【００４５】
バネ構成は、図４に示す道具１の実施形態において例示される。圧縮バネ４０は、本体２０内に納められ、バネ止め３９と下部固定カラー２１の間に固定される。操作ロッド３０の下向きの運動は、操作ロッド３０に取り付けたバネ止め３９の下面４１と本体２０に取り付けた下部固定カラー２１の上面４３の間のバネ４０の圧縮によって反発される。バネ圧縮レバー３８は、操作ロッド３０の大部分を手動で露出させるため、引き抜かれるテントペグ（図示せず）とフック３１と係合を容易にする。
【００４６】
以上のように、第１の実施形態は、図３に示す実施形態に類似であるが、バネ構成はなく、バネ４０、バネ止め３９、または移動した固定カラー２４によって置き換えられる下部固定カラー２１も含まない。また、スロット２７およびレバー３８は、第１の実施形態では必要とされない。
【００４７】
道具１を使用してテントペグを地面から取り除くため、フック部３１は、簡単に曲がったロッドのフック（現在使用されるほとんどのテントペグに共通）によって、テントペグに別な方法で形成されたフックによって、テントペグの目によって、テントペグに取り付けたループによって、またはペグと操作ロッド３０の間の強固な連結を確実にするその他の手段によって、テントペグの接触部に適切に係合される。
【００４８】
フック３１が引き抜かれるテントペグに係合する前に、操作ロッド３０の大部分を本体２０内から露出させることを必要としてもよい。図１に示す実施形態において、バネ圧縮レバー３８を本体２０に対して下に動かし、操作ロッド３０を徐々に露出させて、引き抜かれるテントペグとの接続を容易にする。他の構成において、予め操作ロッド３０を本体２０内に取り付けた任意の保持構成のＳストラップ、ループ、保持クリップから操作ロッド３０を解放することを必要としてもよい。
【００４９】
ハンマー頭部／ハンドル１０は、操作者によって握られ、ペグが地中に打ち込まれる方向から大体辿る線に沿ってペグの上方へ動かされる。道具１の本体２０が立てられると、摺動カラー３７の下面３６が固定カラー２４または受け座２５の上面に接触するまで、操作ロッド３０は、上部固定カラー２４および下部固定カラー２１の間を移動して滑動する。操作者によってハンマー頭部１０を介して加えられる、継続する引張（除去）力が、ここでペグに伝わることになる。
【００５０】
衝撃力（衝撃荷重）をペグに加えるために、操作者は、ハンマー頭部１０をペグに向ってある程度の距離を動かす（実際の距離は重要ではなく、非常に短い距離でも通常は十分である）。次いで、操作者は、ハンマー頭部１０をペグから離れてテントペグシャフトの方向から大体辿る線に沿って一気に引く。その運動の速度は、ハンマー１０と本体２０の結合質量と結合してかなりの運動量を生じさせ、摺動カラー３７が固定カラー２４または衝撃面２５に接触すると、その運動量は操作ロッド３０を介して衝撃荷重としてペグに伝えられる。
【００５１】
道具１の顕著な特徴は、道具１の質量のほとんど全部が動作運動量を導くことである。比較的小さい質量の操作ロッド３０のみでは利用されない。必要であれば、衝撃操作を繰り返し、テントペグに対する地面の把持を打破することができる。往復移動毎に、操作ロッドとペグの持続的な係合は、簡単な捕捉クリップ３２を用いて確実に行なわれる。さらに、またはその代わりに、往復移動がバネ４０に対していくらかの圧縮力を維持するのに十分短いのであれば、バネ４０の作用は、下向きの衝撃に対して操作ロッド３０とテントペグの間の接触を維持するのに役立つ。通常、一旦、地面の把持が打破されると、続く引張りによって、ペグを地面からかなり容易に取り除く。軟らかい地面においても利点はあるのは、道具１はテントペグを地面から引き抜くのに必要とされる曲げの量を減らすからである。
【００５２】
道具１を使用してテントペグを地中に打ち込んでもよい。道具のハンドル２０を握って、従来の槌（またはハンマー）として道具を使用し、テントペグの上端をハンマー頭部１０の面で打撃する従来の方法で、テントペグ（図示せず）を地中に打ち込む。操作ロッド３０は、この機能が使われている間は使用されず、ハンドル２０に隣接して配置されるか、ハンドル２０の一部を形成するか、プラスチックまたはゴムのハンドグリップ（図示せず）に取り付けられるか、ハンドグリップの一部を形成する、ストラップ、ループ、または保持クリップなど（全て図示せず）によって、本体２０内に取り外し可能に保持される。このハンドグリップは、ハンドル２０は使用者が快適となるように合わせてもよい。図３および４に示す実施形態では、本体２０内の操作ロッド３０の保持が、バネ構成（前述される）によって達成される。
【００５３】
操作ロッド３０および本体２０は同軸上に配列し、最大の力をペグに伝えることが望ましいことが分かる。もちろん、使用される非同軸配列は、フレキシブルコントロールケーブル（図示せず）が使用されるか、または操作ロッド３０および本体２０は隣接して、平行に、しかし、互いの非同軸運動のために配列されてもよい。これにもかかわらず、好ましい構成は、同軸上に配列される操作ロッド３０および本体２０を有する必要があることが認識されよう。
【００５４】
図５〜８の第３の実施形態を参照すると、ハンマー頭部ハンドル５０と、典型的なシャベルのハンドルのような２本腕のブリッジ５５と、本体６０を含む槌４５が示される。槌４５は、例えば鉄（好ましくはステンレス）から別々に成型または鋳造され、かつ心地良く、感触の良い表面を与えるために射出成形によってしなやかなプラスチック材料で覆われる中央コア金属フレーム構造を含む。ハンマー頭部５０の端部５１は射出成形プロセスによって覆われず、槌の衝撃面として使用するために露出されたままにされる。本体６０の外部葉巻形面は、使用者が握るハンドルとして役立つ。堅い金属コアフレームによってブリッジ５５を通して観測されるかどうかの道具の振動を小さくすることから、使用者が本体６０を握り、ペグ頭部を衝撃面５１の１つで打つことによって、槌４５はペグを地面に、堅焼きされた地面にも、打ち込むのに効果的である。
【００５５】
図９〜１６を参照すると、ペグ係合部材７０を含むペグを引き抜く道具４６が示される。第４の実施形態は、第３の実施形態に槌４５ペグ係合部材７０を追加して利用する。図１３および１６で見られるように、ペグ係合部材７０は、本体６０を構成するシリンダ形の孔６１内に閉じ込められる引き込み部７１を含む。実質的なシリンダ形の孔は、断面が非円形であって、真のシリンダ形の孔ではなく、非対称である。これによって図１４に示すペグ係合部材７０の細長いロッド７３の縦軸７２が引き込み部７１の軸回転するのを阻止する。
【００５６】
ペグ係合部材は、フック７５と、屈折可能なバネ鋼の形状をした保持手段７６とを含むペグ係合手段７４をさらに含む。
【００５７】
本体６０は、図８および図１５に示す蓋６２をさらに含む。蓋６２は、ブリッジ５５の下部に蝶着され、かつ位置６３でブリッジ５５に嵌め込まれる。蓋６２の自由端に、操作者が指で容易に操作するためのタブ６４が設けられる。蓋６２の下部には、本体６０の底端に一体的に形成されたエンドキャップ６５の輪が形成される。エンドキャップ６５は、引き込み部７１の受け座として作用する。エンドキャップ６５は、蓋６２が閉じる位置にある場合に、ロッド７３が延びる孔を形成する。ロッド７３が孔を移動して自由に滑動できるように、孔は、ロッド７３の断面に一致する円形断面をしている。引き込み部７１が大きすぎて孔を移動することができないので、蓋６２が閉じられている場合、引き込み部７１は、孔６１に閉じ込められ、孔６１を上下に直線的に往復移動することができる。
【００５８】
地中に埋め込まれたペグを取り除くために、使用者はハンマーのハンドル５０を握り、フック７５の端部７７をペグのフックへ押し、保持手段７６を屈折させてペグのフックが保持手段７６を通過するように、フック７５を操作する。これによってペグフックは、ペグ係合手段７４の湾曲部７８に載ってくるようになる。この動作中、フック７５の軸回転が最小でフック７５をペグフックにうまく係合させることが重要である。次いで、引き込み部７１が孔６１を通って移動し、それによって引き込み部７１は孔６１の上端６６に載ってくるように、使用者はハンマーのハンドル５０をフック７５の方へゆっくりと押す。次いで使用者は、ハンマーのハンドル５０をフック７５から離すように一気に引き、これにより引き込み部７１は孔６１を通って（比較的）素早く移動して、フック７５およびペグフックに移る大きな衝撃荷重でエンドキャップ６５に衝撃を与えてペグフックを地面から取り除く。強く押し固められた、非常に固い地面でさえも、第４の実施形態のペグを引き抜く道具４６は、ハンマーのハンドル５０を２、３回以下、一気に引っ張ることによって、ペグを地面から取り除くのに一般的に効果がある。
【００５９】
記載される本発明の好ましい形は、次のようないくつかの顕著な特徴を有するが、それらに限定されない。
（１）この単一の道具は、テントペグの打ち込み機能とテントペグの引き抜き機能の両方を十分に実行する。その点に関して、それはレジャーを簡素化しようと努める屋外キャンパーによって快く歓迎されるであろう。
（２）この道具は、テントペグを引き抜く困難をしばしば経験している屋外キャンパーによって快く受入れられるはずである。この道具は、硬い地面で強固に埋め込まれたテントペグを引き抜くプロセス中に起こり得る、背部損傷の発生を減らすことができるであろう。テントペグの引き抜き機能において、この道具はスライディングハンマーの原理を大変効果的に使用するので、その目的のために設計される他の全ての道具よりも優れていよう。この道具は道具の質量のほとんど全てを活用して、この種類の道具の有効性を決定する運動量を生じる。
（３）重要なことには、本発明の好ましい形は極めて安全に動作する道具を提供する。スライディングハンマー機能の危険な特徴は、かかる道具は、所望の衝撃荷重を生じるために別の固い物体に急速に衝突する、重くて固い物体に頼らなければならない。それらの固い物体の激しい衝突によって身体傷害の機会が生じる。本発明の主題である道具の場合、２つの物体の衝突は、身体に近づきにくい道具の本体内で起きるので安全である。
【００６０】
本明細書および特許請求の範囲で用いられる場合に、用語「ｃｏｍｐｒｉｓｅｓ」および「ｃｏｍｐｒｉｓｉｎｇ」ならびにその変化形は、規定された特徴、工程、または整数が含まれることを意味する。この用語は他の特徴、工程、または構成要素の存在を除外するとは解釈されない。
【００６１】
種々の変更、修正、および／または追加が、本発明の精神および範囲を逸脱せずに本明細書に述べた、本発明の考えられる、好ましい実施形態の特徴に対して行なわれることが理解されよう。
【００６２】
上端、底端、上部、および下部のような位置を表す用語は、関係があると理解されるべきであり、道具はハンドル１０が上部であると通常考えられるという前提に基づく。
【図面の簡単な説明】
【００６３】
【図１】第１の実施形態による道具の正面図である。
【図２】図１に示す実施形態の断面図である。
【図３】第２の実施形態による道具の正面図である。
【図４】図３に示す実施形態の断面図である。
【図５】本発明の第３の実施形態の槌を形成するハンドルの正面斜視図である。
【図６】第３の実施形態の左側からの側面図である。
【図７】第３の実施形態の正面図である。
【図８】第３の実施形態の右側からの側面図である。
【図９】本発明の第４の実施形態の正面斜視図である。
【図１０】第４の実施形態の左側からの側面図である。
【図１１】第４の実施形態の正面図である。
【図１２】第４の実施形態の右側からの側面図である。
【図１３】第４の実施形態の後部断面図である。
【図１４】第４の実施形態の左側からの側面図である。
【図１５】第４の実施形態の正面図である。
【図１６】第４の実施形態の側断面図である。
【図１】
2007504009.tif 000003
【図２】
2007504009.tif 000004
【図３】
2007504009.tif 000005
【図４】
2007504009.tif 000006
【図５】
2007504009.tif 000007
【図６】
2007504009.tif 000008
【図７】
2007504009.tif 000009
【図８】
2007504009.tif 000010
【図９】
2007504009.tif 000011
【図１０】
2007504009.tif 000012
【図１１】
2007504009.tif 000013
【図１２】
2007504009.tif 000014
【図１３】
2007504009.tif 000015
【図１４】
2007504009.tif 000016
【図１５】
2007504009.tif 000017
【図１６】
2007504009.tif 000018
【手続補正書】
【提出日】平成18年5月11日(2006.5.11)
【手続補正１】
【補正対象書類名】図面
【補正対象項目名】全図
【補正方法】変更
【補正の内容】
【図１】
2007504009.tif 000019
【図２】
2007504009.tif 000020
【図３】
2007504009.tif 000021
【図４】
2007504009.tif 000022
【図５】
2007504009.tif 000023
【図６】
2007504009.tif 000024
【図７】
2007504009.tif 000025
【図８】
2007504009.tif 000026
【図９】
2007504009.tif 000027
【図１０】
2007504009.tif 000028
【図１１】
2007504009.tif 000029
【図１２】
2007504009.tif 000030
【図１３】
2007504009.tif 000031
【図１４】
2007504009.tif 000032
【図１５】
2007504009.tif 000033
【図１６】
2007504009.tif 000034
【国際調査報告】
2007504009.tif 000035
2007504009.tif 000036